(57)【特許請求の範囲】
【請求項１】
車内の内装部材に対して収容された収容位置と、車内の後部座席から視認可能な立上位置とを回動可能な表示器と、
後部座席側から人が足で操作可能な位置に設けられた操作部と、
前記操作部に対する操作を契機として、前記表示器を収容位置若しくは立上位置へ移動させる駆動機構と、
を有し、
前記駆動機構は、
駆動源となるモータと、
前記モータの動力を前記表示器へ伝達する伝達部と、
前記操作部に対する操作を検知するスイッチと、
を有し、
前記モータ及び前記スイッチに接続され、前記操作部に対する操作回数若しくは操作時間に応じて、前記表示器の立ち上げ角度を制御する制御回路を有し、
前記制御回路は、前記表示器が立上方向の回動端に来た場合に、前記モータの回動を反転させて、前記表示器を収容方向に回動させ、収容位置において停止させるように設定されていることを特徴とする車載用表示装置。
【請求項２】
前記操作部は、２つのペダルを有し、
前記制御回路は、一方のペダルを踏むと前記表示器が立上方向に回動し、他方のペダルを踏むと前記表示器が収容方向に回動するように設定されていることを特徴とする請求項１記載の車載用表示装置。
【発明の詳細な説明】
【０００１】
【発明の属する技術分野】
本発明は、車の後部座席に着座したユーザが見る表示器を備えた表示装置に係り、特に、表示器の立ち上げ操作の簡易化を図った車載用表示装置に関する。
【０００２】
【従来の技術】
近年、デジタル技術、通信技術の進歩に伴い、車載用の電子機器も多種多様なものが開発されている。特に、ナビゲーションシステム、ＤＶＤプレーヤ及びテレビ受信機のように、ＬＣＤ等の表示器を利用して、ＣＤ−ＲＯＭやＤＶＤ−ＲＯＭ等の記録媒体に記録された映像、テレビジョン放送の画像等を表示できる表示装置が広く普及してきている。
【０００３】
ところで、上述のような表示装置は、一般的には、車のセンターコンソール等に表示器を配設している。しかし、最近では、後部座席に座った人も映像を楽しめるように、後部座席用の表示器を、センターコンソールとは別に設置している場合がある。かかる後部座席用の表示器は、天井に開閉可能に設置されているものが多い。すなわち、表示器の上端が、天井に形成された窪みである収容部に対して、モータを駆動源として軸部を中心に回動可能に設けられている。そして、視聴時には、ユーザが天井に設置されたボタンスイッチや単体のリモコンのボタンを操作することによってモータを作動させ、表示器を下方に回動させて、表示画面を視認可能な位置とする。視聴後にも、ユーザがボタンスイッチやリモコンを操作することによってモータを作動させ、表示器を上方に回動させて天井の収容部に収容する。
【０００４】
【発明が解決しようとする課題】
しかしながら、上述のような後部座席用の表示器においては、使用時に天井設置のボタンスイッチやリモコンを用いる必要があるため、以下のような問題があった。すなわち、天井に設置されたボタンスイッチなどは、ユーザが位置の確認に手間取ったり、無理な姿勢を強いられることが多い。また、リモコンを用いて操作する場合には、リモコンの収納場所が必要となるとともに、リモコン自体が見つからずに探さなければならない場合が生ずる。
【０００５】
本発明は、以上のような従来技術の問題点を解決するために提案されたものであり、その目的は、車の後部座席用の表示器を、容易に且つすばやく使用可能な状態とすることができる車載用表示装置を提供することにある。
【０００６】
【課題を解決するための手段】
上記の目的を達成するため、請求項１記載の発明は、車内の内装部材に対して収容された収容位置と、車内の後部座席から視認可能な立上位置とを回動可能な表示器と、後部座席側から人が足で操作可能な位置に設けられた操作部と、前記操作部に対する操作を契機として、前記表示器を収容位置若しくは立上位置へ移動させる駆動機構と、を有し、前記駆動機構は、駆動源となるモータと、前記モータの動力を前記表示器へ伝達する伝達部と、前記操作部に対する操作を検知するスイッチと、を有し、前記モータ及び前記スイッチに接続され、前記操作部に対する操作回数若しくは操作時間に応じて、前記表示器の立ち上げ角度を制御する制御回路を有し、前記制御回路は、前記表示器が立上方向の回動端に来た場合に、前記モータの回動を反転させて、前記表示器を収容方向に回動させ、収容位置において停止させるように設定されていることを特徴とする。
以上のような請求項１記載の発明では、後部座席に着座した人は、操作部を足で操作することによって、表示器を立ち上げることができるので、無理のない姿勢で容易に且つすばやく表示器を使用可能状態とすることができる。
【０００７】
また、後部座席に着座した人が、操作部に対する操作回数若しくは操作時間を変えることによって、表示器の立ち上げ角度を調節することができるので、無理な姿勢を強いられることなく、容易に視野角を確保することができる。そして、操作部を足で操作するだけで、表示器の角度を調整して視野角を確保できるとともに、その収容まで行うことができるので、利便性が著しく向上する。さらに、モータを駆動源として表示器を操作するので、簡易で安価な構成とすることができる。
【０００８】
請求項２記載の発明は、請求項１記載の車載用表示装置において、前記操作部は、２つのペダルを有し、前記制御回路は、一方のペダルを踏むと前記表示器が立上方向に回動し、他方のペダルを踏むと前記表示器が収容方向に回動するように設定されていることを特徴とする。
以上のような請求項２の発明では、２つのペダルの組み合わせによって、表示器の立ち上げ動作、立ち上げ角度の調整、収容動作を行わせることができる。
【０００９】
【発明の実施の形態】
次に、本発明の実施の形態について図１及び図２を参照して具体的に説明する。
〔１．実施の形態の構成〕
本実施の形態は、図１に示すように、ユニット１に、表示パネル２とペダル３を配設することによって構成されている。ユニット１は断面がＵ字形の部材であり、運転席(図中Ｓで示す)と助手席の間のスペースに配設されている。表示パネル２は、ＬＣＤ等の表示器４を備えており、ユニット１の上面に形成された方形状の窪みである収容部１ａに、収容可能に設けられている。なお、図示はしないが、表示器４は、映像表示を必要とする車載機器にユニット１内を介した配線によって接続されている。
【００１０】
また、表示パネル２は、図２に示すように、収容部１ａの端部（後部座席側）において、軸部２ａを中心に回動可能に設けられているので、表示器４を後部座席から視認できる立上位置と、収容部１ａに収容される収容位置との間を変位可能に構成されている。
【００１１】
また、ペダル３は、ユニット１における後部座席側の下部に配設され、後部座席のユーザが足で踏むことによって、ユニット１内に設けられたスイッチ５を切り替え可能に構成されている。スイッチ５は、ユニット１内に配設されたモータ６を作動させるための制御回路（図示せず）を開閉する機能を有している。この制御回路は、請求項に記載の角度制御手段としての機能を有し、ペダル３が押圧されている間のみモータ６を作動させるように構成されている。なお、モータ６の作動は、運転席側に設けられた操作装置（例えば、図１における１ｂ）によっても操作できる構成としてもよい。
【００１２】
さらに、ユニット１内におけるモータ６と表示パネル２との間には、ベルト等によってモータ６の回転軸６ａの動力を、表示パネル２の軸部２ａに伝達する伝達機構７が設けられている。なお、モータ６の制御回路は、表示パネル２が立ち上げ方向の回動端に来た場合に、モータ６の回動を反転させて、表示パネル２を収容方向に回動させ、収容位置においてモータ６を停止させるように設定されている。
【００１３】
〔２．実施の形態の作用〕
上記のように構成された本実施の形態は、次のように使用する。まず、未使用状態においては、表示パネル２は後方に倒れており、ユニット１の収容部１ａに収容された収容位置にある。そして、後部座席に着座したユーザが、表示パネル２における表示器４の画面を見たい場合には、ペダル３を足で踏み付ける。すると、スイッチ５が切り替えられ、モータ６が作動するので、表示パネル２が軸部２ａを中心に回動を開始して手前に立ち上がる。ユーザは、表示器４が所望の角度となったときにペダル３を離すことによって、スイッチ５が切り替わり、モータ６が停止するので、表示パネル２も停止する。これにより、ユーザは、表示器４を所望の角度の立上位置にして、表示画面を視認することができる。
【００１４】
また、表示パネル２を収容したい場合には、ユーザは、再びペダル３を踏みつける。これにより、表示パネル２が再び立ち上げ方向に回動するが、その回動端に来ると、制御回路がモータ６の回動を反転させるので、表示パネル２が収容方向に回動する。そして、表示パネル２が収容位置に来た時に、制御回路がモータ６を停止させる。これにより、上述の未使用状態に復帰させることができる。
【００１５】
〔３．実施の形態の効果〕
以上のような本実施の形態によれば、後部座席のユーザは、表示器４に表示された映像を見たい場合には、天井設置のボタンスイッチ等の位置確認や操作のための姿勢変更等を行なう必要がなく、ペダル３を足で踏むだけで表示パネル２を立ち上げることができるので、無理のない姿勢で容易に且つすばやく表示器４を視認可能な状態とすることができる。特に、身体が不自由で姿勢変更をし難い人や、手の届く範囲が狭い子供であっても、容易に操作することができる。
【００１６】
また、リモコンのような操作手段の収納場所を必要とせず、リモコンを探す手間も省ける。そして、ユーザは、ペダル３を踏む操作だけで、表示パネル２の角度を調節して表示器４の視野角を確保できるとともに、その収容まで行なうことができるので、利便性が著しく向上する。さらに、モータ６駆動による簡素な構造なので、安価で故障の少ない装置とすることができる。
【００１７】
〔４．他の実施の形態〕
本発明は、上記のような実施の形態に限定されるものではない。例えば、制御回路に、ペダルを踏む回数をカウントするカウンタを設定し、そのカウンタの値に応じて、モータの回動量を制御することによって、ユーザがペダルを踏む回数によって表示パネルの立ち上げ角度を調節することが可能となる。また、ユーザがペダルを特定の回数だけ踏むと、モータが表示パネルを収容方向に回動させて、収容位置で停止させるように設定することもできる。
【００１８】
また、ペダルの数は１つには限定されず、複数配設することによって、後部座席のどの位置からでも操作できるように構成することも可能である。また、複数のペダルに異なる機能を付与した構成とすることもできる。例えば、ペダルを２つ設けて、一方のペダルを踏むと表示パネルが立ち上げ方向に回動し、他方のペダルを踏むと表示パネルが収容方向に回動するように設定すれば、２つのペダルの組み合わせによって、立ち上げ動作、立ち上げ角度の調整、収容動作を行なわせることができる。
【００１９】
また、上記の実施の形態では、駆動機構をモータによって作動させるように構成したが、ペダルと表示パネルとの間に、ペダルの押圧を表示パネルに機械的に伝達する機構を設けることによって、表示パネルを駆動するための電力が不要な構成とすることも可能である。
【００２０】
また、表示パネルを配設する部材は、上述のユニットには限定されず、通常のコンソールボックスであってもよい。さらに、ペダルは、後部座席のユーザが足で操作可能な位置にあればよい。例えば、運転席若しくは助手席の下部にペダルが設置されていてもよい。また、ペダルが足で操作可能な位置にあれば、表示パネルの設置位置は自由であり、天井に設置されていても、運転席若しくは助手席の背面に設置されていてもよい。
【００２１】
また、ペダルの形状や大きさ等は自由に設計できる。例えば、横長の方形状として、左右どちらからでも踏み易い形状とすることもできる。また、ペダルの表面に凹凸を形成することによって、すべり止めや泥落としの効果が得られる構成とすることも可能である。
【００２２】
また、表示器は、ＬＣＤには限定されず、ＯＥＬ（Ｏｒｇａｎｉｃ  Ｅｌｅｃｔｒｏｌｕｍｉｎｅｓｃｅｎｃｅ）やその他のエレクトロルミネッセントディスプレイ、プラズマディスプレイ、ＣＲＴ、ＬＥＤアレイ等、電子的な表示を行なうことができるものであれば、どのようなものであってもよい。
【００２３】
さらに、表示器の表示内容も、接続される機器に応じて、どのようなものであってもよい。例えば、ナビゲーション画面、テレビジョン放送、ラジオ放送の文字若しくは映像情報、ＤＶＤの映像、Ｗｅｂページ、電子メール、ＥＴＣ関係の情報等、種々のものが表示可能である。
【００２４】
【発明の効果】
以上説明したように、本発明によれば、車の後部座席用の表示器を、容易に且つすばやく使用状態とすることが可能な車載用表示装置を提供することができる。
【図面の簡単な説明】
【図１】本発明の車載用表示装置の実施の形態を示す斜視図である。
【図２】図１の実施の形態の断面図である。
【符号の説明】
１…ユニット
１ａ…収容部
１ｂ…操作装置
２…表示パネル
２ａ…軸部
３…ペダル
４…表示器
５…スイッチ
６…モータ
７…伝達機構
Ｓ…運転席
【図１】
0004756297.tif 000002
【図２】
0004756297.tif 000003